(57)【要約】【課題】搭乗者に応じて生体情報の表示を容易に切り替えることができる情報表示装置を提供する。【解決手段】ナビゲーション装置１において、人物識別部２で車両の搭乗者を識別し、制御部４が、一の搭乗者についての生体情報を他の搭乗者に閲覧を許可するか否かが設定された閲覧許可情報５ａに基づいて、一の搭乗者についての生体情報を表示部６に表示させる。【選択図】図１
2020080160.tif 000002
【特許請求の範囲】
【請求項１】
移動体の搭乗者を識別する識別部と、
前記識別部により識別された一の搭乗者についての生体情報を前記識別部により識別された他の搭乗者に閲覧を許可するか否かが設定された閲覧許可情報に基づいて、前記一の搭乗者についての生体情報を表示する表示部と、
を備えることを特徴とする情報表示装置。
【発明の詳細な説明】
【技術分野】
【０００１】
本発明は、例えば車両等の搭乗者に関する情報を表示する情報表示装置に関する。
【背景技術】
【０００２】
従来、自動車の運転者の心拍数などの生体情報を取得して、その生体情報に基づいて運転者の健康状態等を解析して表示等をすることは知られている。
【０００３】
例えば、特許文献１には、運転者の生体情報、運転者が運転する自動車の走行に係る自動車情報、自動車内外の環境に係る情報、更には、自主申告や聞き取り調査された運転者の健康状態情報等に基づき、運転者の健康状態及び運転技術に関する良否が判定され、判定結果を運転者端末２００と第三者端末６００において共用することが開示されている。
【先行技術文献】
【特許文献】
【０００４】
【特許文献１】特開２０１５−７５８９５号公報
【発明の概要】
【発明が解決しようとする課題】
【０００５】
上述した生体情報や健康状態等は個人情報であり、他人には開示したくない場合も多い。しかしながら、自動車等の車両は、運転者以外の搭乗者が搭乗することがある。そのため、例えばナビゲーション装置等の表示部が本人以外からも視認可能な機器に生体情報を表示する場合は、例えば搭乗者に応じて表示の有無を切り替えるなどの対策が必要となるが、運転者が搭乗者に応じてその都度表示を切り替えるのは非常に煩雑である。
【０００６】
また、近年では、座席に配置されたセンサ等やウェアラブル端末等によって、運転者に限らず助手席等に乗車している他の搭乗者の生体情報等を取得することが可能となっている。この際においても、助手席等に乗車している他の搭乗者は、本人の許可なく他人に生体情報等を開示するのは好ましくない。
【０００７】
そこで、本発明は、上述した問題に鑑み、例えば、搭乗者に応じて生体情報の表示を容易に切り替えることができる情報表示装置を提供することを課題とする。
【課題を解決するための手段】
【０００８】
上記課題を解決するために、請求項１に記載の発明は、移動体の搭乗者を識別する識別部と、前記識別部により識別された一の搭乗者についての生体情報を前記識別部により識別された他の搭乗者に閲覧を許可するか否かが設定された閲覧許可情報に基づいて、前記一の搭乗者についての生体情報を表示する表示部と、を備えることを特徴とする情報表示装置である。
【０００９】
また、請求項７に記載の発明は、情報表示装置によって実行される情報表示方法であって、移動体の搭乗者を識別する識別工程と、前記識別工程において識別された一の搭乗者についての生体情報を前記識別工程において識別された他の搭乗者に閲覧を許可するか否かが設定された閲覧許可情報に基づいて、前記一の搭乗者についての生体情報を表示部に表示させる表示工程と、を含むことを特徴とする情報表示方法である。
【００１０】
また、請求項８に記載の発明は、請求項７に記載の情報表示方法を、コンピュータにより実行させることを特徴とする情報表示プログラムである。
【００１１】
また、請求項９に記載の発明は、請求項８に記載の情報表示プログラムを格納したことを特徴とする、コンピュータで読み取り可能な記録媒体である。
【図面の簡単な説明】
【００１２】
【図１】本発明の一実施例にかかる情報表示装置の概略構成図である。
【図２】図１に示された閲覧許可情報の説明図である。
【図３】図１に示された表示部における表示例の説明図である。
【図４】図１に示された情報表示装置のユーザ登録動作のフローチャートである。
【図５】図１に示された情報表示装置の搭乗時動作のフローチャートである。
【発明を実施するための形態】
【００１３】
以下、本発明の一実施形態にかかる情報表示装置を説明する。本発明の一実施形態にかかる情報表示装置は、識別部で移動体の搭乗者を識別し、表示部で一の搭乗者についての生体情報を他の搭乗者に閲覧を許可するか否かが設定された閲覧許可情報に基づいて、一の搭乗者についての生体情報を表示する。このようにすることにより、閲覧許可情報の設定に基づいて、識別部で識別された移動体の搭乗者が一の搭乗者についての生体情報を閲覧できるか否かを決定できる。したがって、搭乗者に応じて生体情報の表示を容易に切り替えることができる。
【００１４】
また、識別部が識別した搭乗者の中に、一の搭乗者についての生体情報の閲覧を許可しないと閲覧許可情報に設定された搭乗者があった場合は、表示部は、一の搭乗者についての生体情報を表示しないようにしてもよい。このようにすることにより、生体情報を開示したくない人物が搭乗していた場合は、一の搭乗者の生体情報を表示させないようにすることができる。
【００１５】
また、識別部は、識別した搭乗者の着席位置を示す情報を取得し、表示部は、閲覧許可情報と着席位置とに基づいて一の搭乗者についての生体情報の表示を促す表示をするようにしてもよい。このようにすることにより、例えば運転席に着席している運転者は、運転の影響を考慮してなるべく生体情報を表示できるようにすることができる。
【００１６】
また、他の搭乗者に対して、一の搭乗者と他の搭乗者との親密度レベルに応じて閲覧許可情報の設定を行う閲覧許可情報設定部を備えてもよい。このようにすることにより、例えば家族等の親密度が高い搭乗者がいる場合は生体情報を表示し、親密度の低い搭乗者がいる場合は生体情報を表示しないようにすることができる。また、親密度の低い搭乗者の生体情報は表示しないようにすることも可能となる。
【００１７】
また、親密度レベルは、一の搭乗者と他の搭乗者が移動体に同乗した回数に基づいて定まってもよい。このようにすることにより、移動体に同乗した回数が多いほど親密度が高いと定めることが可能となる。したがって、例えば家族等といった他の個人情報に基づかなくとも親密度を定めることができる。
【００１８】
また、搭乗者から生体情報を取得する取得部を備え、取得部は、搭乗者から生体情報の取得を許可するか否かが設定された取得許可情報に基づいて、生体情報の取得を行うようにしてもよい。このようにすることにより、取得許可情報に基づいて生体情報自体の取得を行うかを決定できる。
【００１９】
また、本発明の一実施形態にかかる情報表示方法は、情報表示装置によって実行される情報表示方法であって、識別工程で移動体の搭乗者を識別し、表示工程で一の搭乗者についての生体情報を他の搭乗者に閲覧を許可するか否かが設定された閲覧許可情報に基づいて、一の搭乗者についての生体情報を表示部に表示させる。このようにすることにより、閲覧許可情報の設定に基づいて、識別工程で識別された搭乗者が一の搭乗者についての生体情報を閲覧できるか否かを決定できる。したがって、搭乗者に応じて生体情報の表示を容易に切り替えることができる。
【００２０】
また、上述した情報表示方法をコンピュータにより実行させる情報表示プログラムとしてもよい。このようにすることにより、コンピュータを用いて、搭乗者に応じて生体情報の表示を容易に切り替えることができる。
【００２１】
また、上述した情報表示プログラムをコンピュータで読み取り可能な記録媒体に格納してもよい。このようにすることにより、当該プログラムを機器に組み込む以外に単体でも流通させることができ、バージョンアップ等も容易に行える。
【実施例】
【００２２】
本発明の一実施例にかかる情報表示装置を図１乃至図５を参照して説明する。本実施例にかかる情報表示装置としてのナビゲーション装置１は、図１に示したように、人物識別部２と、生体情報取得部３と、制御部４と、記憶部５と、表示部６と、を備えている。
【００２３】
ナビゲーション装置１は、自動車等の車両に搭載されて、例えば現在地から設定された目的地までの経路を探索し案内する周知の装置である。
【００２４】
人物識別部２は、例えば車内に設置されたカメラが撮影した画像を取得して、車両に乗車した搭乗者を識別する。搭乗者の識別は、予め登録された画像や特徴量との一致をとる等、周知の顔認識アルゴリズムにより行えばよい。
【００２５】
なお、人物識別部２は、車内に設置されたカメラに限らず、スマートフォン等が内蔵するカメラ等で撮影された画像から識別してもよい。また、カメラが撮影した画像に限らず、指紋センサにより得られる指紋を用いる方法や、近赤外光を手のひら、指等に透過させて得られる静脈パターンを用いる方法、或いは虹彩パターンを用いる方法などを用いてもよい。更には、上述した複数の方法を組み合わせてもよい。
【００２６】
生体情報取得部３は、座席に内蔵された生体情報取得センサ等が収集した心拍数や血圧、血糖値、呼吸等の生体情報を取得する。なお、生体情報を収集するのは、腕時計型等で搭乗者が身に着ける形態の端末、所謂ウェアラブル端末であってもよい。また、生体情報としては、目や瞼の動きや顔色といった情報も含めることができ、このような情報は車内に設置されたカメラで取得することができる。このカメラは、人物識別部２が利用するカメラと共用としてもよい。なお、生体情報取得部３は、複数のセンサ等が収集した生体情報を同時に取得することができる。つまり、複数人分の生体情報を同時に取得することができる。
【００２７】
制御部４は、ナビゲーション装置１の全体の制御を司る。制御部４は、例えばＣＰＵ（Central Processing Unit）やＲＡＭ（Random Access Memory）、ＲＯＭ（Read Only Memory）等を備えるマイクロコンピュータ等で構成されている。制御部４は、人物識別部２が識別した搭乗者の情報と記憶部５に記憶されている閲覧許可情報５ａに基づいて表示部６に生体情報取得部３が取得した生体情報を表示するか否かを判定する。
【００２８】
また、制御部４は、生体情報取得部３が取得した生体情報を、例えばグラフ等のように、表示部６に表示するデータ等に変換し、表示部６に出力する。また、制御部４は、生体情報から例えば眠気度や疲労度、緊張度等の情報を算出して表示部６に出力してもよい。即ち、本実施例の表示部６に出力される生体情報とは、生体情報取得部３で取得した情報に限らず、取得した生体情報から算出された搭乗者の心身に関する情報等も含むものである。
【００２９】
記憶部５は、例えば半導体メモリやハードディスク等で構成されている。記憶部５は、閲覧許可情報５ａが記憶されている。閲覧許可情報５ａとは、一の搭乗者の生体情報の閲覧の可否を他の搭乗者毎に設定した情報、即ち、一の搭乗者についての生体情報を他の搭乗者に閲覧を許可するか否かが設定された情報である。閲覧許可情報５ａの例を図２に示す。
【００３０】
図２は、搭乗者としてＡ、Ｂ、Ｃの３名が登録されている場合の例である。図２の２番目の行は、Ａが一の搭乗者の場合の設定である。この場合、ＡはＢ、Ｃに対しては閲覧を許可している（○）が、Ｂ、Ｃ以外のその他の搭乗者の場合は閲覧を許可しない（×）。従って、搭乗者がＡ、Ｂ、Ｃの場合は、Ａの生体情報は表示部６に表示するように制御部４は制御する。
【００３１】
なお、図２の右端は生体情報の取得自体の可否の設定である。即ち、搭乗者から生体情報の取得を許可するか否かが設定された取得許可情報である。つまり、本実施例では、閲覧許可情報５ａに取得許可情報が含まれている。図２の例では、Ａ、Ｂ、Ｃとも生体情報の取得自体は許可されている。
【００３２】
図２の３番目の行は、Ｂが一の搭乗者の場合の設定である。この場合、ＢはＡに対しては閲覧を許可している（○）が、Ｃとその他の搭乗者の場合は閲覧を許可しない（×）。従って、搭乗者がＡ、Ｂ、Ｃの場合は、Ｃを含むので、Ｂの生体情報は表示部６に表示しないように制御部４は制御する。
【００３３】
図２の４番目の行は、Ｃが一の搭乗者の場合の設定である。この場合、Ｃは誰に対しても閲覧を許可している（○）。従って、Ｃ以外の搭乗者が誰であっても、Ｃの生体情報は表示部６に表示するように制御部４は制御する。
【００３４】
図２の５番目の行は、その他の搭乗者の場合の設定である。その他とは、上記Ａ〜Ｃ以外の未登録或いは設定（登録）を拒否した者の場合の設定である。この場合、不特定の者であるので○や×等の設定はできないことから閲覧許可の情報は未設定（−）となるが、未設定の場合は原則として表示部６に表示しないように制御部４は制御する。なお、この未設定（−）は、新規登録者の閲覧許可情報の初期値となる。
【００３５】
なお、閲覧許可情報５ａは、記憶部５に記憶しなくてもよく、外部サーバ等から通信により制御部４が取得してもよい。
【００３６】
表示部６は、例えば液晶ディスプレイ等で構成され、車内のインストルメントパネル等に運転者や他の搭乗者から視認可能な位置に設置されている。表示部６は、制御部４から出力された生体情報等を表示する。なお、表示部６は、タッチパネルで構成され、表示機能と操作機能とを兼ねるようにしてもよい。
【００３７】
図３に表示部６に表示する例を示す。図３は、Ａ、Ｂ、Ｃ、Ｄの４名の生体情報を表示する例である。図３では、表示部６の表示領域全体を利用して表示しているが、例えば、画面を分割して地図等の案内情報と同時に表示してもよい。また、表示する内容としては、心拍等の心身情報を数値として表示してもよいし、折れ線グラフや棒グラフ等として表示してもよい。また、グラフ等の場合は、複数人分を１つのグラフに表示してもよい。更には、心身情報から算出された眠気度等を数値やグラフ等で表示してもよい。
【００３８】
ここで、図３の例、即ち、Ａ、Ｂ、Ｃ、Ｄが搭乗者の場合において、図２の閲覧許可情報５ａを適用した場合を説明する。このときＤはその他とする。この場合、Ａはその他（Ｄ）に閲覧を許可していないのでＡの生体情報は表示されない。ＢはＣとその他（Ｄ）に閲覧を許可していないのでＢの生体情報は表示されない。その他（Ｄ）は未設定であり原則として表示しないのでＤの生体情報は表示されない。従って、Ｃの生体情報のみが表示されることとなる。即ち、識別部（人物識別部２）が識別した搭乗者の中に、一の搭乗者についての生体情報の閲覧を許可しないと閲覧許可情報５ａに設定された搭乗者があった場合は、表示部は（制御部４は表示部６に）、一の搭乗者についての生体情報を表示しない（させない）。
【００３９】
なお、ナビゲーション装置１は、図１に示したブロック以外に、ＧＰＳ（Global Positioning System）等により現在地を取得する手段、目的地までの経路を探索する手段、地図情報等を格納する手段及び各種操作等を行うボタン等の入力手段等も備えている。
【００４０】
次に、上述した構成のナビゲーション装置１の動作について、図４及び図５のフローチャートを参照して説明する。図４及び図５は、車内に設置されたカメラ（車内カメラ）によって搭乗者を識別し、生体情報はウェアラブル端末で収集する場合の例である。図４はユーザ登録動作のフローチャートである。
【００４１】
まず、ステップＳ１１において、人物識別部２が車内カメラに搭乗者を撮影させる。この時点では、当該搭乗者は登録されていないので人物識別部２は、未登録の搭乗者と認識され、撮影された画像や特徴量等が以後の人物識別用の情報として登録される。
【００４２】
次に、ステップＳ１２において、生体情報取得部３がウェアラブル端末と、例えばＢｌｕｅｔｏｏｔｈ（登録商標）等の通信規格により一度接続してウェアラブル端末の機器ＩＤを取得する。そして、制御部４は、撮影された搭乗者の画像と取得した機器ＩＤとをひも付けする。この動作により、ウェアラブル端末から送信されてきた生体情報がどの搭乗者のものかが判別できる。
【００４３】
次に、ステップＳ１３において、ユーザ等の操作に基づいて制御部４が閲覧許可情報５ａを設定する。これは、ステップＳ１１、Ｓ１２が実行された対象の搭乗者を一の搭乗者として、他の搭乗者に閲覧を許可するか否かを設定する。このとき、他の搭乗者がいない場合（運転者のみの場合）は、自身以外の閲覧を許可するかの設定をするようにしてもよい。また、他に登録されているユーザ等がある場合は、そのユーザ毎に閲覧を許可するか設定するようにしてもよい。
【００４４】
次に、ステップＳ１４において、制御部４がステップＳ１３で設定された閲覧許可情報５ａを記憶部５に記憶（保存）する。以上で、搭乗者（ユーザ）の初期登録がなされる。
【００４５】
なお、図４は、生体情報を収集するのがウェアラブル端末の場合のフローチャートであったが、例えば座席に内蔵された生体情報取得センサ等の場合は、図５で説明する搭乗時の動作において着座位置の認識を行うことにより、ステップＳ１２は不要となる。着座位置は、着座センサや車内カメラ等から取得することができる。
【００４６】
次に、図５に示した搭乗時動作のフローチャートについて説明する。まず、ステップＳ２１において、人物識別部２が車内カメラに搭乗者を撮影させる。次に、ステップＳ２２において、人物識別部２がステップＳ２１で撮影された画像から搭乗者を識別する。
【００４７】
次に、ステップＳ２３において、制御部４は現在搭乗している搭乗者は全員閲覧許可情報５ａが設定済みか否かを判断し、設定済みである場合（ＹＥＳの場合）はステップＳ２５に進み、設定済みでない搭乗者がいる場合（ＮＯの場合）はステップＳ２４に進む。
【００４８】
次に、ステップＳ２４において、制御部４は閲覧許可情報を設定済みでない搭乗者がいたので、その搭乗者の閲覧許可情報５ａを設定するために設定画面を表示部６に表示させる。閲覧許可情報の設定は、原則としてステップＳ１３と同様でもよいが、現在他の搭乗者がいる場合は、当該他の同乗者に対して閲覧を許可するか否かを設定するようにしてもよい。或いは、設定を拒否するような選択肢を与えてもよい。例えば、以後搭乗する機会が殆どないと搭乗者本人が認識している場合等は設定をしないようにしてもよい。この場合、設定を拒否された搭乗者は、ステップ２５以降は図２のその他として扱われる。
【００４９】
なお、閲覧許可情報５ａの設定画面は、例えば図２に示したような表を表示部６に表示して、○又は×をタッチパネル等から入力するようにすればよい。
【００５０】
次に、ステップＳ２５において、制御部４は搭乗者の組み合わせから表示部６への表示内容や、生体情報を取得する搭乗者を決定する。つまり、閲覧許可情報５ａに基づいて、表示部６に生体情報を表示する搭乗者や生体情報を取得する搭乗者を決定する。
【００５１】
そして、ステップＳ２６において、制御部４は表示部６の表示を制御する。つまり、ステップＳ２５で表示することを決定した搭乗者の生体情報を表示部に表示させる。なお、表示のタイミングは、リアルタイムで常時表示するに限らず、生体情報が異常な値となった場合に表示するようにしてもよいし、所定時間間隔や下車時等であってもよい。
【００５２】
また、ステップＳ２７においては、制御部４は生体情報取得センサを制御する。つまり、生体情報取得部３に、閲覧許可情報５ａ（取得許可情報）に取得を許可しないと設定されているウェアラブル端末との接続を切断させる。即ち、制御部４は搭乗者から取得許可情報に基づいて、生体情報の取得を行う。
【００５３】
以上のフローチャートの説明から明らかなように、ステップＳ２１が識別工程、ステップＳ２５、Ｓ２６が表示工程として機能し、制御部４と表示部６が特許請求の範囲の表示部に相当する。
【００５４】
なお、図５は、生体情報を収集するのがウェアラブル端末の場合のフローチャートであったが、例えば座席に内蔵された生体情報取得センサ等の場合は、ステップＳ２２において搭乗者の着座位置も認識する。これは、座席に内蔵されたセンサが収集した生体情報と識別された搭乗者とをひも付けるためである。
【００５５】
本実施例によれば、人物識別部２で車両の搭乗者を識別し、制御部４が、一の搭乗者についての生体情報を他の搭乗者に閲覧を許可するか否かが設定された閲覧許可情報５ａに基づいて、一の搭乗者についての生体情報を表示部６に表示させる。このようにすることにより、閲覧許可情報５ａの設定に基づいて、人物識別部２で識別された車両の搭乗者が一の搭乗者についての生体情報を閲覧できるか否かを決定できる。したがって、搭乗者に応じて生体情報の表示を容易に切り替えることができる。
【００５６】
また、人物識別部２が識別した搭乗者の中に、一の搭乗者についての生体情報の閲覧を許可しないと閲覧許可情報５ａに設定された搭乗者があった場合は、制御部４は、一の搭乗者についての生体情報を表示部６に表示させないようにしている。このようにすることにより、生体情報を開示したくない人物が搭乗していた場合は、一の搭乗者の生体情報を表示させないようにすることができる。
【００５７】
なお、上述した実施例では、搭乗者の着席位置は、座席に内蔵された生体情報取得センサの場合に利用するとしたが、ウェアラブル端末の場合に利用してもよい。例えば、運転者の場合、生体情報の異常が運転に影響を及ぼすこともあるので、運転席に着席している搭乗者は、ステップＳ２４で設定済みであっても、ステップＳ２５で閲覧許可情報５ａの設定画面を表示して生体情報の表示を促すようにしてもよい。即ち、表示部６は、閲覧許可情報５ａと着席位置とに基づいて一の搭乗者についての生体情報の表示を促す表示をしてもよい。
【００５８】
また、閲覧許可情報５ａの設定は、搭乗者間の親密度に応じて自動的に行うようにしてもよい。生体情報は、上述したように個人情報であるので、親密度が高くない相手には開示したくないことが多い。従って、例えば他の搭乗者との親密度をレベルで表し、親密度レベルが低い場合は、閲覧許可情報５ａを設定画面は表示せずに、表示しないように自動的に設定してもよい（或いは図２のその他扱いとしてもよい）。即ち、制御部４は他の搭乗者に対して、一の搭乗者と他の搭乗者との親密度レベルに応じて閲覧許可情報５ａの設定を行う閲覧許可情報設定部として機能する。
【００５９】
親密度レベルは、例えば親密度レベルを算出する相手と同乗した回数に比例して高くなるようにすればよい。この同乗回数は、例えば人物識別部２で自身と相手が共に識別された回数を用いればよい。例えば親密度レベルを高、中、低の３段階とした場合、同乗回数が０回以上３回未満の場合は“低”、３回以上６回未満の場合は“中”、６回以上の場合は“高”などとする。また、親密度レベルが“低”の場合は上述したとおりであるが、親密度レベルが“高”など一定レベル以上となった場合は、その相手に対しては自動的に閲覧許可と設定するようにしてもよい。或いは、親密度レベルが一定レベル以上となった場合は、自動的な設定までは行わずに、閲覧許可情報５ａの設定画面を表示するようにしてもよい。この場合一度設定済みであっても再度設定画面を表示するようにしてもよい。つまり、親密度の上昇に伴って再設定できるようにしてもよい。
【００６０】
また、搭乗者が複数人いる場合、特定の搭乗者に対する親密度レベルが異なることがある。例えば、搭乗者がＡ、Ｂ、Ｃの３人の場合、Ｃに対する親密度レベルがＡは“高”だがＢは“低”の場合、ＣはＢに対して生体情報を開示したくないと考える可能性が高い。このような場合は、例えば親密度レベルが低いＢの方を基準にＣの生体情報を表示するか否かを判断すればよい。
【００６１】
また、例えば家族等の血縁関係がある者の場合は、搭乗回数によらず予め自動的に親密度レベルを高く設定してもよい。家族等の設定は、図４に示したフローチャート実行時やステップＳ２５の実行時に直接設定するようにすればよい。
【００６２】
また、表示部６に表示しないと制御されている搭乗者の生体情報について、当該搭乗者が所持している携帯端末やウェアラブル端末、或いはヘッドアップディスプレイ等の当該搭乗者のみが視認するような他の表示部が別途存在する場合は、当該搭乗者の生体情報を当該他の表示部に表示するようにしてもよい。このようにすることにより、他人に開示することなく自身の生体情報を確認することができる。
【００６３】
なお、上述した実施例では、情報表示装置としてナビゲーション装置１で説明したが、それに限らず、車両に設置され、複数の搭乗者から視認可能な表示部を備える機器であればよい。また、スマートフォンやタブレット端末等の車内に持ち込み可能な機器であってもよい。また、上述した実施例では、自動車等の車両で説明したが、車両に限らず、航空機や船舶等の搭乗者が複数あるような移動体であってもよい。
【００６４】
また、本発明は上記実施例に限定されるものではない。即ち、当業者は、従来公知の知見に従い、本発明の骨子を逸脱しない範囲で種々変形して実施することができる。かかる変形によってもなお本発明の情報表示装置の構成を具備する限り、勿論、本発明の範疇に含まれるものである。
【符号の説明】
【００６５】
１        ナビゲーション装置（情報表示装置）
２        人物識別部（識別部）
３        生体情報取得部（取得部）
４        制御部（表示部、閲覧許可情報設定部）
５ａ      閲覧許可情報
６        表示部
Ｓ２１    車内カメラで搭乗者を撮影（識別工程）
Ｓ２５    搭乗者の組み合わせから、表示／取得方法を決定（表示工程）
Ｓ２６    表示を制御（表示工程）
【図１】
2020080160.tif 000003
【図２】
2020080160.tif 000004
【図３】
2020080160.tif 000005
【図４】
2020080160.tif 000006
【図５】
2020080160.tif 000007